(57)【要約】【課題】  受信側のファクシミリ装置がカラー受信機能を有しないときにでも、受信側のファクシミリ装置またはその装置に関連する装置がカラー画像を取得することのできるファクシミリ通信手順を搭載した通信装置およびそれの送信制御方法を提供する。【解決手段】  記憶装置４は、通信相手のファクシミリ装置の電話番号と、そのファクシミリ装置またはその装置に関連する装置のメールアドレスとの対応を定めた電話帳リストを記憶する。メールアドレス検索部３１は、電話帳リストを参照して受信側のファクシミリ装置の電話番号に対応するメールアドレスを検索する。受信側種別判断部３２は、受信側のファクシミリ装置がカラー受信機能を有するか否かを判断する。送信制御部３４は、受信側のファクシミリ装置がカラー受信機能を有しないと判断された場合に、検索されたメールアドレスに基づいて、カラー画像をメール送信する。【選択図】        図３
2006033685.tif 000002
【特許請求の範囲】
【請求項１】
通信相手のファクシミリ装置の電話番号と、前記ファクシミリ装置または前記ファクシミリ装置と関連する装置のメールアドレスとの対応を定めた電話帳リストを記憶する記憶手段と、
前記記憶手段の電話帳リストを参照して、受信側のファクシミリ装置の電話番号に対応する前記メールアドレスを検索する手段と、
受信側のファクシミリ装置が、カラー受信機能を有するか否かを判断する判断手段と、
前記判断手段により受信側のファクシミリ装置がカラー受信機能を有する判断された場合に、カラー画像をＦＡＸ送信し、前記判断手段により受信側のファクシミリ装置がカラー受信機能を有しないと判断された場合に、前記検索されたメールアドレスに基づいて、カラー画像をメール送信する送信制御手段とを備えたファクシミリ通信手順を搭載した通信装置。
【請求項２】
前記ファクシミリ通信手順を搭載した通信装置は、
カラー画像をモノクロ画像に変換する画像変換手段をさらに備え、
前記送信制御手段は、前記検索手段によりメールアドレスが検索できず、かつ前記判断手段により受信側のファクシミリ装置がカラー受信機能を有しないと判断されたときに、前記画像変換手段に前記カラー画像をモノクロ画像へ変換させ、前記変換されたモノクロ画像をＦＡＸ送信する、請求項１記載のファクシミリ通信手順を搭載した通信装置。
【請求項３】
前記送信制御手段は、ＦＡＸ通信プロトコルに従う通信によって、受信側のファクシミリ装置との間の通信ネゴシエーションを行ない、受信側のファクシミリ装置からカラー受信機能の有無を示す信号を受けて、前記判断手段に送り、
前記判断手段は、前記受けた信号に基づいて、受信側のファクシミリ装置がカラー受信機能を有するか否かを判断し、
前記送信制御手段は、前記判断手段により受信側のファクシミリ装置がカラー受信機能を有しないと判断された場合に、ＦＡＸ通信プロトコルに従う通信を終了して、前記カラー画像をメール通信プロトコルに従って送信する、請求項１記載のファクシミリ通信手順を搭載した通信装置。
【請求項４】
ファクシミリ通信手順を搭載した通信装置が、通信相手のファクシミリ装置の電話番号と、前記ファクシミリ装置または前記ファクシミリ装置と関連する装置のメールアドレスとの対応を定めた電話帳リストを参照して、受信側のファクシミリ装置の電話番号に対応する前記メールアドレスを検索する第１のステップと、
ファクシミリ通信手順を搭載した通信装置が、受信側のファクシミリ装置がカラー受信機能を有するか否かを判断する第２のステップと、
ファクシミリ通信手順を搭載した通信装置が、前記第２のステップで受信側のファクシミリ装置がカラー受信機能を有する判断された場合に、カラー画像をＦＡＸ送信し、前記第２のステップで受信側のファクシミリ装置がカラー受信機能を有しないと判断された場合に、前記第１のステップで検索されたメールアドレスに基づいて、カラー画像をメール送信する第３のステップとを含むファクシミリ通信手順を搭載した通信装置の送信制御方法。
【請求項５】
前記第３のステップにおいて、前記第１のステップでメールアドレスが検索できず、かつ前記第２のステップで受信側のファクシミリ装置がカラー受信機能を有しないと判断されたときに、ファクシミリ通信手順を搭載した通信装置が、前記カラー画像をモノクロ画像に変換し、前記変換されたモノクロ画像をＦＡＸ送信する、請求項４記載のファクシミリ通信手順を搭載した通信装置の送信制御方法。
【請求項６】
前記第２のステップにおいて、ファクシミリ通信手順を搭載した通信装置が、ＦＡＸ通信プロトコルに従う通信によって、受信側のファクシミリ装置との間の通信ネゴシエーションを行ない、受信側のファクシミリ装置からカラー受信機能の有無を示す信号を受けて、前記受けた信号に基づいて、受信側のファクシミリ装置がカラー受信機能を有するか否かを判断し、
前記第３のステップにおいて、ファクシミリ通信手順を搭載した通信装置が、前記第２のステップにおいて受信側のファクシミリ装置がカラー受信機能を有しないと判断された場合に、ＦＡＸ通信プロトコルに従う通信を終了し、前記カラー画像をメール通信プロトコルに従って送信する、請求項４記載のファクシミリ通信手順を搭載した通信装置の送信制御方法。
【発明の詳細な説明】
【技術分野】
【０００１】
本発明は、ファクシミリ通信手順を搭載した通信装置、およびファクシミリ通信手順を搭載した通信装置の送信制御方法に関し、特に、カラー画像の送信機能を有するファクシミリ通信手順を搭載した通信装置、およびファクシミリ通信手順を搭載した通信装置の送信制御方法に関する。
【背景技術】
【０００２】
近年、ファクシミリ装置の普及は著しく、カラー画像の伝送を行なうことができるファクシミリ装置も開発されている。ところで、送信側のファクシミリ装置がカラー画像のＦＡＸ通信に対応していても、受信側のファクシミリ装置が、カラー画像のＦＡＸ通信に対応していない場合がある。このような場合には、送信側のファクシミリ装置と受信側のファクシミリ装置との間でネゴシエーションが成功せずに、その結果回線が切断され、送信側のファクシミリ装置は、リダイヤルを繰返すことになる。
【０００３】
このような問題を回避するために、たとえば、特許文献１〜３には、受信側のファクシミリ装置がカラー画像をＦＡＸ受信できないときには、送信側のファクシミリ装置は、カラー画像をモノクロ画像に変換して送信するか、またはカラー画像の送信をキャンセルすることが記載されている。
【特許文献１】特開平５−６４０２０号公報
【特許文献２】特開２００１−１８９８６９号公報
【特許文献３】特開２００２−２６２１１１号公報
【発明の開示】
【発明が解決しようとする課題】
【０００４】
しかしながら、特許文献１〜３に記載の方法では、受信側のファクシミリ装置は、モノクロ画像を取得できるだけであり、カラー画像を一切取得することができない。
【０００５】
それゆえに、本発明の目的は、受信側のファクシミリ装置がカラー受信機能を有しないときにでも、受信側のファクシミリ装置または受信側のファクシミリ装置に関連する装置がカラー画像を取得することのできるファクシミリ通信手順を搭載した通信装置およびファクシミリ通信手順を搭載した通信装置の送信制御方法を提供することである。
【課題を解決するための手段】
【０００６】
上記目的を達成するために、本発明のある局面に係るファクシミリ通信手順を搭載した通信装置は、通信相手のファクシミリ装置の電話番号と、ファクシミリ装置またはファクシミリ装置と関連する装置のメールアドレスとの対応を定めた電話帳リストを記憶する記憶手段と、記憶手段の電話帳リストを参照して、受信側のファクシミリ装置の電話番号に対応するメールアドレスを検索する手段と、受信側のファクシミリ装置が、カラー受信機能を有するか否かを判断する判断手段と、判断手段により受信側のファクシミリ装置がカラー受信機能を有する判断された場合に、カラー画像をＦＡＸ送信し、判断手段により受信側のファクシミリ装置がカラー受信機能を有しないと判断された場合に、検索されたメールアドレスに基づいて、カラー画像をメール送信する送信制御手段とを備える。
【０００７】
好ましくは、ファクシミリ通信手順を搭載した通信装置は、カラー画像をモノクロ画像に変換する画像変換手段をさらに備え、送信制御手段は、検索手段によりメールアドレスが検索できず、かつ判断手段により受信側のファクシミリ装置がカラー受信機能を有しないと判断されたときに、画像変換手段にカラー画像をモノクロ画像へ変換させ、変換されたモノクロ画像をＦＡＸ送信する。
【０００８】
好ましくは、送信制御手段は、ＦＡＸ通信プロトコルに従う通信によって、受信側のファクシミリ装置との間の通信ネゴシエーションを行ない、受信側のファクシミリ装置からカラー受信機能の有無を示す信号を受けて、判断手段に送り、判断手段は、受けた信号に基づいて、受信側のファクシミリ装置がカラー受信機能を有するか否かを判断し、送信制御手段は、判断手段により受信側のファクシミリ装置がカラー受信機能を有しないと判断された場合に、ＦＡＸ通信プロトコルに従う通信を終了して、カラー画像をメール通信プロトコルに従って送信する。
【０００９】
また、本発明の別の局面に係るファクシミリ通信手順を搭載した通信装置の送信制御方法は、ファクシミリ通信手順を搭載した通信装置が、通信相手のファクシミリ装置の電話番号と、ファクシミリ装置またはファクシミリ装置と関連する装置のメールアドレスとの対応を定めた電話帳リストを参照して、受信側のファクシミリ装置の電話番号に対応するメールアドレスを検索する第１のステップと、ファクシミリ通信手順を搭載した通信装置が、受信側のファクシミリ装置がカラー受信機能を有するか否かを判断する第２のステップと、ファクシミリ通信手順を搭載した通信装置が、第２のステップで受信側のファクシミリ装置がカラー受信機能を有する判断された場合に、カラー画像をＦＡＸ送信し、第２のステップで受信側のファクシミリ装置がカラー受信機能を有しないと判断された場合に、第１のステップで検索されたメールアドレスに基づいて、カラー画像をメール送信する第３のステップとを含む。
【００１０】
好ましくは、第３のステップにおいて、第１のステップでメールアドレスが検索できず、かつ第２のステップで受信側のファクシミリ装置がカラー受信機能を有しないと判断されたときに、ファクシミリ通信手順を搭載した通信装置が、カラー画像をモノクロ画像に変換し、変換されたモノクロ画像をＦＡＸ送信する。
【００１１】
好ましくは、第２のステップにおいて、ファクシミリ通信手順を搭載した通信装置が、ＦＡＸ通信プロトコルに従う通信によって、受信側のファクシミリ装置との間の通信ネゴシエーションを行ない、受信側のファクシミリ装置からカラー受信機能の有無を示す信号を受けて、受けた信号に基づいて、受信側のファクシミリ装置がカラー受信機能を有するか否かを判断し、第３のステップにおいて、ファクシミリ通信手順を搭載した通信装置が、第２のステップにおいて受信側のファクシミリ装置がカラー受信機能を有しないと判断された場合に、ＦＡＸ通信プロトコルに従う通信を終了し、カラー画像をメール通信プロトコルに従って送信する。
【発明の効果】
【００１２】
本発明に係るファクシミリ通信手順を搭載した通信装置およびファクシミリ通信手順を搭載した通信装置の送信制御方法によれば、受信側のファクシミリ装置がカラー受信機能を有しないときにでも、受信側のファクシミリ装置または受信側のファクシミリ装置に関連する装置がカラー画像を取得することができる。
【発明を実施するための最良の形態】
【００１３】
以下に、図面を参照しつつ、本発明の実施の形態について説明する。
【００１４】
（構成）
図１は、本発明の実施形態に係るファクシミリ装置の構成を示す。同図を参照して、このファクシミリ装置５０は、制御装置１と、網制御措置２と、表示装置３と、記憶装置４と、呼出音出力装置（スピーカ）５と、モデム６と、ハンドセット７と、ダイヤルボタン群８と、操作ボタン群９と、ハンドセット上下検出装置１０と、印刷装置１１と、ＳＤ（Secure Digital）メモリカードスロット１２と、カメラ装置１３と、スキャナ１４とを備える。
【００１５】
ハンドセット７は、通話および受話に用いられる。
【００１６】
ハンドセット上下検出装置１０は、ハンドセット７の上げ（オフフック）、または下げ（オンフック）を検出して、検出信号を網制御装置２に送る。
【００１７】
網制御措置２は、検出信号がハンドセット７がオフフックを示すときに、ダイヤルボタン群８から入力される通信相手のファクシミリ装置の電話番号と、記憶装置４に記憶されている自装置の電話番号とを制御装置１から受けて、これらの電話番号に基づいて、通信相手のファクシミリ装置との間で電話回線を接続する。また、網制御装置２は、制御装置１からメール送信が指示されると、「Ｌモード（登録商標）」のアクセスポイントまでの電話回線を接続する。
【００１８】
モデム６は、送信する信号の変調、および受信した信号の復調を行なう。
【００１９】
ダイヤルボタン群８は、通信相手のファクシミリ装置の電話番号を入力するために使用される。
【００２０】
操作ボタン群９は、ファクシミリ装置の操作を行なうために使用され、ＦＡＸ送信の開始を入力するための「ＦＡＸスタートボタン」と、表示装置３に表示されている画像の中でＦＡＸ送信する画像を選択するための「画像選択」ボタンと、ＦＡＸ送信の終了を入力するための「停止」ボタンとを含む。
【００２１】
ＳＤメモリカードスロット１２は、デジタルカメラで撮影されたＪＰＥＧの画像などを記録したＳＤメモリカードのデータを制御装置１に送る。
【００２２】
カメラ装置１３は、被写体を撮影して生成したＪＰＥＧの画像を制御装置１に送る。
【００２３】
スキャナ１４は、原稿を読込んで生成したＪＰＥＧの画像を制御装置１に送る。
【００２４】
記憶装置４は、自装置の電話番号、および電話帳リストを記憶する。
【００２５】
図２は、電話帳リストを示す図である。同図に示すように、電話帳リスト内の各要素は、「名前」と、「よみがな」と、「電話番号」と、「メールアドレス」とからなる。「名前」は、通信相手のファクシミリの所有者を示す。「よみがな」は、「名前」のよみがなを示す。「電話番号」は、通信相手のファクシミリ装置の電話番号を示す。「メールアドレス」は、通信相手のファクシミリ装置または通信相手のファクシミリ装置と関連する装置のメールアドレスを示す。通信相手のファクシミリ装置と関連する装置とは、通信相手のファクシミリ装置と所有者が同じ、または社内の同じ部門に属するパソコンまたは携帯電話などをいう。なお、この通信相手のファクシミリ装置と関連する装置は、通信相手のファクシミリ装置と物理的に接続されている必要がない。
【００２６】
また、記憶装置４は、制御装置１から送られるカメラ装置１３またはスキャナ１４で撮影した画像を記憶する。
【００２７】
表示装置３は、制御装置１から送られるＳＤメモリカードスロット１２に装着されたＳＤメモリカードに記録されている画像、カメラ装置１３で生成された画像、またはスキャナ１４で生成された画像などを表示する。
【００２８】
印刷装置１１は、受信した画像を印刷する装置である。
【００２９】
呼出音出力装置（スピーカ）５は、着信があったときに呼出音を出力する。
【００３０】
図３は、制御装置１の機能ブロック図である。同図を参照して、この制御装置１は、メールアドレス検索部３１と、受信側種別判断部３２と、画像変換部３３と、送信制御部３４と、バッファ４１と、電話回線接続部４２とを含む。また、送信制御部３４は、送信方法決定部３５と、メール通信処理部３６と、ＦＡＸ通信処理部３７と、バッファ４１と、電話回線接続部４２とを含む。
【００３１】
バッファ４１は、図４に示すダイヤルバッファと、図５に示す着信履歴バッファとからなる。図４に示すダイヤルバッファは、ユーザがダイヤルボタン群８から入力した通信相手のファクシミリ装置の電話番号を保持する。図５に示す着信履歴バッファは、発信者番号付きで着信した通信相手のファクシミリ装置の電話番号（ナンバーディスプレイデータ）を保持する。
【００３２】
電話回線接続部４２は、ダイヤルバッファ内の通信相手のファクシミリ装置の電話番号および記憶装置４内の自装置の電話番号を網制御装置２に送って、発呼させる。また、電話番号接続部４２は、網制御装置２が発信者番号付きで着信した通信相手のファクシミリ装置の電話番号（ナンバーディスプレイデータ）を受けて、着信履歴バッファに送る。
【００３３】
メールアドレス検索部３１は、記憶装置４内の電話帳を参照して、受信側のファクシミリ装置の電話番号に対応するメールアドレス、すなわち受信側のファクシミリ装置または受信側のファクシミリ装置と関連する装置のメールアドレスを検索する。
【００３４】
受信側種別判断部３２は、ＦＡＸ通信処理部３７からデジタル識別信号ＤＩＳ（Digital Identification Signal）を受けて、デジタル識別信号ＤＩＳのカラービットがオンのときに、受信側のファクシミリ装置がカラー受信機能を有すると判断し、デジタル識別信号ＤＩＳのカラービットがオフのときに、受信側のファクシミリ装置がカラー受信機能を有しないと判断する。
【００３５】
画像変換部３３は、送信方法決定部３５からメール送信の指示を受けると、ユーザが「画像選択ボタン」で選択した、送信するカラー画像をモノクロ画像に変換する。
【００３６】
メール通信処理部３６は、送信方法決定部３７からメール送信の指示を受けると、メール通信プロトコルに従って、メールアドレス検索部３１によって検索されたアドレスに基づいて、カラー画像をメールに添付して送信する。
【００３７】
ＦＡＸ通信処理部３７は、被呼端末識別信号ＣＥＤ（２１００Ｈｚ）を受けた後、デジタル識別信号ＤＩＳ（Digital Identification Signal）を受けると、受信側種別判断部３２にデジタル識別信号ＤＩＳを送る。
【００３８】
また、ＦＡＸ通信処理部３７は、送信方法決定部３７からＦＡＸ通信プロトコルに従う通信の終了の指示を受けると、回線切断命令信号ＤＣＮ（DisCoNnect）を送信し、ＦＡＸ通信プロトコルに従う通信を終了する。また、ＦＡＸ通信処理部３７は、送信方法決定部３７からカラー画像の送信の指示を受けると、ＦＡＸ通信プロトコルに従ってカラー画像をＦＡＸ送信する。また、ＦＡＸ通信処理部３７は、送信方法決定部３７からモノクロ画像の送信の指示を受けると、ＦＡＸ通信プロトコルに従って画像変換部３３で変換された後のモノクロ画像をＦＡＸ送信する。
【００３９】
送信方法決定部３５は、受信側種別判断部３２が受信側のファクシミリ装置がカラー受信機能を有すると判断した場合には、ＦＡＸ通信処理部３７にＦＡＸ通信プロトコルに従ってカラー画像を送信させる。
【００４０】
送信方法決定部３５は、受信側種別判断部３２が受信側のファクシミリ装置がカラー受信機能を有しないと判断した場合には、メールアドレス検索部３１でメールアドレスが検索されなかったときに、画像変換部３３を指示して、カラー画像をモノクロ画像に変換させて、ＦＡＸ通信処理部３７に変換されたモノクロ画像をＦＡＸ通信プロトコルに従って送信させる。
【００４１】
送信方法決定部３５は、受信側種別判断部３２が受信側のファクシミリ装置がカラー受信機能を有しないと判断した場合に、メールアドレス検索部３１でメールアドレスが検索されたときに、ＦＡＸ通信処理部３７に回線切断命令信号ＤＣＮ（DisCoNnect）を送信させ、ＦＡＸ通信プロトコルに従う通信を終了させた後、メール通信処理部３６にメール通信プロトコルに従って、アクセスポイントまでの電話回線を接続させ、カラー画像をメールに添付して送信させる。
【００４２】
（従来のファクシミリ装置の送信制御方法）
まず、従来のファクシミリ装置の送信制御方法で送信されるデータと送信手段について説明する。図６（ａ）は、デジタル識別信号ＤＩＳのカラービットがオンの場合に送信されるデータと送信手段を示す。同図に示すように、カラー画像がＦＡＸ送信される。
【００４３】
図６（ｂ）は、デジタル識別信号ＤＩＳのカラービットがオフの場合に送信されるデータと送信手段を示す。同図に示すように、モノクロ画像がＦＡＸ送信される。
【００４４】
（本発明の実施形態に係るファクシミリ装置の送信制御方法）
次に、本発明の実施形態に係るファクシミリ装置の送信制御方法で送信されるデータと送信手段について説明する。図７（ａ）は、デジタル識別信号ＤＩＳのカラービットがオンの場合に送信されるデータと送信手段を示す。同図に示すように、カラー画像がＦＡＸ送信される。
【００４５】
図７（ｂ）は、デジタル識別信号ＤＩＳのカラービットがオフの場合に、受信側のファクシミリ装置のメールアドレスが検索できたときに、送信されるデータと送信手段を示す。同図に示すように、接続されていた回線が切断された後、カラー画像がメールに添付されて送信される。
【００４６】
図７（ｃ）は、デジタル識別信号ＤＩＳのカラービットがオフの場合に、受信側のファクシミリ装置のメールアドレスが検索できなかったときに、送信されるデータと送信手段を示す。同図に示すように、モノクロ画像がＦＡＸ送信される。
【００４７】
（動作）
図８は、このファクシミリ装置５０による送信制御の動作手順を示すフローチャートである。同図を参照して、網制御装置２が、通信相手のファクシミリ装置との間で、電話回線を接続する（ステップＳ１０１）。
【００４８】
この外線通話中において、ユーザが、カメラ装置１３で生成された画像、ＳＤメモリカードスロット１２に装着されているＳＤメモリカードに記録されている画像、またはスキャナ１４で生成された画像を表示装置１３に表示させ、画像選択ボタンを押下することによって、送信する画像を選択する（ステップＳ１０２，Ｓ１０３）。
【００４９】
次に、ユーザが、ＦＡＸスタートボタンを押下した場合に（ステップＳ１０４）、メールアドレス検索部３１は、記憶装置４内の電話帳を参照して、受信側のファクシミリ装置の電話番号に対応するメールアドレスを検索する。
【００５０】
すなわち、メールアドレス検索部３１は、着信通話のときに、すなわち自装置が電話回線の着信側のときに（ステップＳ１０５でＹＥＳ）、着信履歴バッファ内の受信側のファクシミリ装置の電話番号（ナンバーディスプレイデータ）が記憶装置１４内の電話帳に登録されており（ステップＳ１０６でＹＥＳ）、かつその電話番号に対応するメールアドレスが登録されている場合には（ステップＳ１０７でＹＥＳ）、そのメールアドレスを検索し、検索したメールアドレスを送信方法決定部３５およびメール通信処理部３６に送る。一方、メールアドレス検索部３１は、その電話番号が電話帳に登録されていない場合（ステップＳ１０６でＮＯ）、またはその電話番号に対応するメールアドレスが登録されていない場合には（ステップＳ１０７でＮＯ）、メールアドレスが検索できなかった旨を送信方法決定部３５に通知する。
【００５１】
メールアドレス検索部３１は、発信通話のときに、すなわち自装置が電話回線の発信側のときに（ステップＳ１０５でＮＯ）、ダイヤルバッファ内の受信側のファクシミリ装置の電話番号が電話帳に登録されており（ステップＳ１０８でＹＥＳ）、かつその電話番号に対応するメールアドレスが登録されている場合には（ステップＳ１０７でＹＥＳ）、そのメールアドレスを検索し、検索したメールアドレスを送信方法決定部３５およびメール通信処理部３６に送る。一方、メールアドレス検索部３１は、その電話番号が電話帳に登録されていない場合（ステップＳ１０８でＮＯ）、またはその電話番号に対応するメールアドレスが登録されていない場合には（ステップＳ１０７でＮＯ）、メールアドレスが検索できなかった旨を送信方法決定部３５に通知する。
【００５２】
送信方法決定部３５は、検索されたメールアドレスを受けたときに、まず、ＦＡＸ通信処理部３７に、ＦＡＸ通信処理を行なわせる。ＦＡＸ通信処理部３７は、ＦＡＸ通信用のプロトコルにしたがって、受信側のファクシミリ装置との間の通信ネゴシエーションを行なう。ＦＡＸ通信処理部３７は、受信側のファクシミリ装置からのデジタル識別信号ＤＩＳを受けたときには、受けたデジタル識別信号ＤＩＳを受信側種別判断部３２に送る。
【００５３】
受信側種別判断部３２は、デジタル識別信号ＤＩＳのカラービットがオンのときに、受信側のファクシミリ装置がカラー受信機能を有すると判断し、デジタル識別信号ＤＩＳのカラービットがオフのときに、受信側のファクシミリ装置がカラー受信機能を有しないと判断し、判断結果を送信方法決定部３５に通知する。
【００５４】
送信方法決定部３５は、受けた判断結果が受信側のファクシミリ装置がカラー受信機能を有することを示す場合には、ＦＡＸ通信処理部３７にＦＡＸ通信プロトコルに従ってカラー画像を送信させる。一方、送信方法決定部３５は、受けた判断結果が受信側のファクシミリ装置がカラー受信機能を有しないことを示す場合には、ＦＡＸ通信処理部３７に回線切断命令信号ＤＣＮ（DisCoNnect）を送信させ、ＦＡＸ通信プロトコルに従う通信を終了させた後、メール通信処理部３６にメール通信プロトコルに従って、アクセスポイントまでの電話回線を接続させ、カラー画像をメールに添付して送信させる（ステップＳ１０９）。
【００５５】
送信方法決定部３５は、メールアドレスが検索できなかった旨の通知を受けたときに、まず、ＦＡＸ通信処理部３７に、ＦＡＸ通信処理を行なわせる。ＦＡＸ通信処理部３７は、ＦＡＸ通信用のプロトコルにしたがって、受信側のファクシミリ装置との間の通信ネゴシエーションを行なう。ＦＡＸ通信処理部３７は、受信側のファクシミリ装置からのデジタル識別信号ＤＩＳを受けたときには、受けたデジタル識別信号ＤＩＳを受信側種別判断部３２に送る。
【００５６】
受信側種別判断部３２は、デジタル識別信号ＤＩＳのカラービットがオンのときに、受信側のファクシミリ装置がカラー受信機能を有すると判断し、デジタル識別信号ＤＩＳのカラービットがオフのときに、受信側のファクシミリ装置がカラー受信機能を有しないと判断し、判断結果を送信方法決定部３５に通知する。
【００５７】
送信方法決定部３５は、受けた判断結果が受信側のファクシミリ装置がカラー受信機能を有することを示す場合には、ＦＡＸ通信処理部３７にＦＡＸ通信プロトコルに従ってカラー画像を送信させる。一方、送信方法決定部３５は、受けた判断結果が受信側のファクシミリ装置がカラー受信機能を有しないことを示す場合には、画像変換部３３を指示して、カラー画像をモノクロ画像に変換させて、ＦＡＸ通信処理部３７に変換されたモノクロ画像をＦＡＸ通信プロトコルに従って送信させる（ステップＳ１１０）。
【００５８】
以上のように、本発明の実施形態に係るファクシミリ装置およびファクシミリ装置の送信制御方法によれば、受信側のファクシミリ装置がカラー受信機能を有しないときは、ユーザによる操作を要せずに、自動的にＦＡＸ通信を止めて、カラー画像をメールに添付して受信側のファクシミリ装置または受信側のファクシミリ装置に関連する装置（受信側のファクシミリ装置と同一の所有者、または会社の同一部門に属するパソコンまたは携帯電話など）に送信するので、受信側のファクシミリ装置または受信側のファクシミリ装置に関連する装置においてカラー画像を取得することができる。
【００５９】
なお、本発明の実施形態では、ユーザがハンドセットをオフフックして通話中に、ＦＡＸスタートボタンを押下げることによって、カラー画像またはモノクロ画像の送信が開始されたが、これに限定するものではなく、非通話中に、ＦＡＸスタートボタンを押下げることによって、カラー画像またはモノクロ画像の送信が開始されるものとしてもよい。
【００６０】
また、本発明の実施形態では、Ｌモードに基づくメ−ルの送信について説明したが、これに限定するものではなく、たとえば、ファクシミリ装置がＡＤＳＬまたはＬＡＮで接続されている場合には、それらに適したプロトコルにしたがってメールを送信するものとしてもよい。
【００６１】
また、本発明の実施形態では、カラー画像またはモノクロ画像を送信する装置は、ファクシミリ装置として説明したが、これに限定するものではなく、ファクシミリ通信手順を搭載した通信装置であればどのようなものでもよい。たとえば、ファクシミリ通信手順を搭載した複写機、プリンタ、携帯電話、またはＰＤＡ（Personal Digital Assistance）などのようなものであってもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の実施形態に係るファクシミリ装置の構成を示す図である。
【図２】電話帳リストを示す図である。
【図３】制御装置１の機能ブロック図である。
【図４】ダイヤルバッファを示す図である。
【図５】着信履歴バッファを示す図である。
【図６】（ａ）は、従来において、デジタル識別信号ＤＩＳのカラービットがオンの場合に送信されるデータと送信手段を示す図であり、（ｂ）は、従来において、デジタル識別信号ＤＩＳのカラービットがオフの場合に送信されるデータと送信手段を示す図である。
【図７】（ａ）は、本発明の実施形態において、デジタル識別信号ＤＩＳのカラービットがオンの場合に送信されるデータと送信手段を示す図であり、（ｂ）は、本発明の実施形態において、デジタル識別信号ＤＩＳのカラービットがオフの場合に、受信側のファクシミリ装置のメールアドレスが検索できたときに送信されるデータと送信手段を示す図であり、（ｃ）は、本発明の実施形態において、デジタル識別信号ＤＩＳのカラービットがオフの場合に、受信側のファクシミリ装置のメールアドレスが検索できなかったときに送信されるデータと送信手段を示す図である。
【図８】ファクシミリ装置５０による送信制御の動作手順を示すフローチャートである。
【符号の説明】
【００６４】
１  制御装置、２  網制御装置、３  表示装置、４  記憶装置、５  呼出音出力装置（スピーカ）、６  モデム、７  ハンドセット、８  ダイヤルボタン群、９  操作ボタン群、１０  ハンドセット上下検出装置、１１  印刷装置、１２  ＳＤメモリカードスロット、１３  カメラ装置、１４  スキャナ、３１  メールアドレス検索部、３２  受信側種別判断部、３３  画像変換部、３４  送信制御部、３５  送信方法決定部、３６  メール通信処理部、３７  ＦＡＸ通信処理部、４１  バッファ、４２  電話回線接続部、５０  ファクシミリ装置。
【図１】
2006033685.tif 000003
【図２】
2006033685.tif 000004
【図３】
2006033685.tif 000005
【図４】
2006033685.tif 000006
【図５】
2006033685.tif 000007
【図６】
2006033685.tif 000008
【図７】
2006033685.tif 000009
【図８】
2006033685.tif 000010